(57)【要約】【課題】火災感知器の着脱器において、火災感知器の設置場所直下以外の場所から、又傾斜部に設置された火災感知器を容易に着脱する。【課題を解決するための手段】上部が開放し、底面がある包囲筒1の周壁に火災感知器の複数の開口部に勘合する弾性材料からなるの複数の突起爪２を取付け、突起爪２が移動できる複数の切込み１ｂを設けた火災感知器用着脱ヘッドの底面中央部に、柔軟な合成樹脂で覆ったワイヤーケーブルの外周に金属線を巻きつけた構造のフレキシブルシャフト６の一端を固定、他端を操作支持棒先端に結合する。【発明の効果】本考案により火災感知器の着脱作業が、設置場所直下以外の下部側方から、又傾斜して設置された火災感知器を安全に、楽な体勢で可能となり、消防用設備点検業務の作業効率が改善される。【選択図】図１ 
2005352801.tif 000002
【特許請求の範囲】
【請求項１】
上部が開放した包囲筒の周壁に火災感知器の複数開口部に嵌合する弾性材料からなる複数の突起爪を設け、突起爪が移動することが出来る切込みを設けた事を特徴とする火災感知器用の着脱器。
【請求項２】
フレキシブルシャフトの一端に着脱自在な結合手段により操作支持棒先端を結合し、他端に着脱自在な結合手段により包囲筒の底中心に結合する事を特徴とする請求項１記載の火災感知器用の着脱器
【発明の詳細な説明】
【技術分野】
【０００１】
この発明は、火災感知器の着脱に係り、天井などに設置固定された専用ベースに火災感知器を着脱する為の器具に関するものである。
【背景技術】
【０００２】
火災感知器は、一般に天井に設置固定された専用のベースに、着脱自在に取り付けられているが、高所に設置されている為、点検等の際、作業者が設置場所の直下より操作支持棒先端の着脱器により火災感知器を回転させて着脱をしていた。
【特許文献１】特開平１１−４５３８２号広報
【特許文献２】特開平１０−１４３７７８号広報
【発明の開示】
【発明が解決しようとする課題】
【０００３】
火災感知器の設置状況により、火災感知器直下に障害物などが有り作業者の着脱作業が容易に行えないことがあるなど、無理な体勢での不安全作業があった。傾斜部に設置の場合も同様であった。以上の事から火災感知器直下以外の下部側方から又傾斜部に設置された火災感知器を容易に着脱する事を課題とする。
【課題を解決するための手段】
【０００４】
上部が開放した包囲筒の周壁に火災感知器の複数開口部に嵌合する複数の弾性材料からなる突起爪を設け、突起爪が移動することが出来る切込みを設けた事を特徴とする火災感知器用の着脱器として課題を解決するものである。
【０００５】
フレキシブルシャフトの一端に着脱自在な結合手段により操作支持棒先端を結合し、他端に着脱自在な結合手段により包囲筒の底中心に結合する事を特徴とする請求項１記載の火災感知器用の着脱器として課題を解決するものである。
【発明の効果】
【０００６】
本考案により火災感知器の着脱作業が、設置場所直下以外の下部側方から、又傾斜して設置された火災感知器を安全に、楽な体勢で可能となり、消防設備点検業務の作業効率が改善される。
【発明を実施するための最良の形態】
【０００７】
請求項１記載の発明は図１着脱器1の包囲筒周縁に複数の切込み１ｂを設け、１ｂ下部に突起爪２を２ａネジで包囲筒周壁に固定する。突起爪は弾性材料からなり、形状は半円形となっている、包囲筒周縁上部１ａは、対象とする火災感知器により、内周より外周に向かい０度から６０度傾斜させた構造となっているが、４５度が望ましい。
【０００８】
請求項２記載のフレキシブルシャフトは図２の外観であり、構造は、図３柔軟な合成樹脂３ａで覆ったワイヤーケーブル３の外周に金属線３ｂを巻きつけ回転力が加わった時に、ワイヤーケーブル３が外側に膨らむことを防ぐ構造とし、一端を着脱ヘッド取付け用台座４の孔４ｃへ挿入、ネジ４ａにより固定、着脱器1をネジ４ｂにより台座４に固定、他端は図３操作支持棒取付け台座５の孔５ｃに挿入しネジ５ｂにより固定、操作支持棒連結用の孔５ａを開けた。３ｃはフレキシブルシャフトの衣装カバーである。
【０００９】
火災感知器を取り付ける場合は図５着脱器1に火災感知器１０を装着し周縁部１０ｂの一部を専用ベース周縁部８ｂの一部に引っ掛け操作支持棒を専用ベースに向かって押し上げる事により図６フレキシブルシャフト６が屈曲し、専用ベース周縁部８ｂと火災感知器周縁部１０ｂが接合し、操作支持棒を右回転させる事により火災感知器１０と専用ベース８が勘合し、操作支持棒を手元側に引く事により着脱器１より火災感知器１０を開放する。
【００１０】
火災感知器を取り外す場合、図７突起爪２の一部を火災感知器開口部１０ａの一部に引っ掛け、操作支持棒９を火災感知器１０に向かって押し上げる事により、図６フレキシブルシャフト６が屈曲し他の突起爪２が火災感知器１０の円盤部図７、１０ｃにより外側に押し広がり、切込み図１、１ｂ内に押し込まれ開口部１０ａと突起爪２が勘合し突起爪の弾力により堅持、操作支持棒を左回転させる事により火災感知器１０を取り外す。突起爪２が切込み１ｂに押し込まれることにより、突起爪２が回転移動することを防止する。
【００１１】
突起爪の取付けは配置数量、取付け位置を変える事により、他の火災感知器の着脱も可能である。突起爪２は弾性材質の合成樹脂、金属などから形成することができ、切込みの形状は突起爪の形状により、いろいろな形状が考えられる。脱着器１本体は合成樹脂、金属から形成することができる。
【００１２】
フレキシブルシャフト６取付け台座４，５の接続形状を変える事により他の市販着脱器の接続が可能となる。フレキシブルシャフト６と取付け台座４，５の接続方法はネジ、ピン、スプリング、接着、溶接方法がある。
【産業上の利用可能性】
【００１３】
この着脱器の着脱器1部分の形状を変えることにより、設置場所直下以外の下部側方から、又傾斜して設置された電球の交換が可能である。
【図面の簡単な説明】
【００１４】
【図１】火災感知器用の着脱器を示した斜視図である。
【図２】フレキシブルシャフトを示した斜視図である。
【図３】火災感知器用の着脱器を示した断面図である。
【図４】火災感知器を示した斜視図である。
【図５】火災感知器取付け状況を示した側面図である。
【図６】火災感知器と専用ベースの接合状況を示した側面図である。
【図７】火災感知器の取り外し状況を示した側面図である。
【符号の説明】
【００１５】
１      着脱器
１ａ    周縁部
１ｂ    切込み
２      突起爪
２ａ    突起爪取付けネジ
３      ワイヤーケーブル
３ａ    合成樹脂
３ｂ    金属線
３ｃ    化粧カバー
４      着脱ヘッド連結部
４ａ    ワイヤーケーブル固定ネジ
４ｂ    着脱ヘッド取付けネジ
４ｃ    ワイヤーケーブル挿入孔
５      操作支持棒連結部
５ａ    操作支持棒連結穴
５ｂ    ワイヤーケーブル固定ネジ
５ｃ    ワイヤーケーブル挿入孔
６      フレキシブルシャフト
８      専用ベース
８ａ    専用ベース周縁部
９      操作支持棒
１０    火災感知器
１０ａ  開口部
１０ｂ  周縁部
１０ｃ  円盤部
【図１】
2005352801.tif 000003
【図２】
2005352801.tif 000004
【図３】
2005352801.tif 000005
【図４】
2005352801.tif 000006
【図５】
2005352801.tif 000007
【図６】
2005352801.tif 000008
【図７】
2005352801.tif 000009